(57)【要約】      （修正有）【課題】光が安定して伝送される光コネクタ組立体を提供する。【解決手段】光波がプラグコネクタのレンズ１０１に通り、幅が広い光波になる。ソケットコネクタのレンズ２３がプラグコネクタのレンズから離れる場合でも、光波は容易に伝送される。【選択図】図１１
2010250321.tif 000002
【特許請求の範囲】
【請求項１】
保持部材と、
保持部材に装着される複数のファイバーを含むケーブルと、
保持部材の前端に実装されるレンズと、を備え、
前記ケーブルのファイバーの前端が保持部材の前端から露出してレンズに対応することを特徴とする光コネクタ。
【請求項２】
前記レンズは、前記保持部材の前端に被覆成型される或いは接着されることを特徴とする請求項１に記載の光コネクタ。
【請求項３】
前記ファイバーの前端と前記保持部材の前端とは、互いに面一であることを特徴とする請求項１に記載の光コネクタ。
【請求項４】
前記光コネクタは、一対の端子と、前記一対の端子と電気接続する導線とを有し、前記保持部材の両側には前記端子を収納するための一対の収納孔が形成されることを特徴とする請求項１〜３のいずれか一項に記載の光コネクタ。
【請求項５】
複数のファイバーを含むケーブルと、前記ファイバーが保持される保持部材と、保持部材の前端に被覆成型される第１レンズと、を有するケーブル部材を備え、前記ケーブルのファイバーの前端が保持部材の前端から露出してレンズに対応するプラグコネクタと、
ソケットコネクタと、
を備えることを特徴とする光コネクタ組立体。
【請求項６】
前記ソケットコネクタは、前記第１レンズに対して所定の距離離れる第２レンズと、前記プラグコネクタの第１レンズと保持部材とを収納可能な本体とを備えることを特徴とする請求項５に記載の光コネクタ組立体。
【請求項７】
前記プラグコネクタは、前記保持部材と前記第１レンズとを遮蔽する前蓋体を有し、前記前蓋体の両側には、前記ソケットコネクタの前記本体に形成される第１凹溝に係合される鉤部を含む係合アームが設けられることを特徴とする請求項５または６に記載の光コネクタ組立体。
【請求項８】
前記光コネクタ組立体は、第２ケーブル部材と、前記本体が第２ケーブル部材に固着されるための挟み込み部材を有し、前記挟み込み部材が、前記本体と第２ケーブル部材とを挟み込み一対の弾力部と、前記一対の弾力部を連接する連接部とを有し、前記本体には前記挟み込み部材の連接部と係合する第２凹溝が形成されることを特徴とする請求項６または７に記載の光コネクタ組立体。
【請求項９】
複数のＶ字状のスロットが形成される水平面を含む保持部材と、
前記保持部材の前記複数のスロットに保持される複数のファイバーを有するケーブルと、
前記保持部材の前端に被覆されるレンズと、を備え、
前記スロットが保持部材の水平面と直交する相手面に貫通することを特徴とする光コネクタ組立体。
【発明の詳細な説明】
【技術分野】
【０００１】
本発明は、光コネクタ組立体に関し、特に、プラグコネクタと相手ソケットコネクタを有する光コネクタ組立体に関するものである。
【背景技術】
【０００２】
従来の光コネクタ組立体は、複数の第１ファイバーと、樹脂材料によって製造されるプラグコネクタとを有する。プラグコネクタには第１相手面が設けられる。ファイバーは、第１相手面を貫通して相手ソケットコネクタと電気接続する。プラグコネクタには、導入ピンを収納するための複数の挿入溝が形成される。プラグコネクタは、導入ピンによって、相手コネクタに対応できる。相手ソケットコネクタは複数の第２ファイバーを有する。相手ソケットコネクタには、前記プラグの第１相手面に接触する第２相手面が設けられる。プラグコネクタの第１相手面が相手ソケットコネクタの第２相手面に接触することによって、第１、第２ファイバーとは互いに連接される。光が、連接されるファイバーに沿って伝送される。
【先行技術文献】
【特許文献】
【０００３】
【特許文献１】米国特許第５，２１４，７３０号明細書
【発明の概要】
【発明が解決しようとする課題】
【０００４】
第１、第２相手面の間にギャップがある、或いは阻害物が付着した場合に、光の伝送が実現できない。
【０００５】
そこで本発明の目的は、光が安定して伝送される光コネクタ組立体を提供することにある。
【課題を解決するための手段】
【０００６】
前記目的を達成するために、本発明の光コネクタ部材は、保持部材と、前記保持部材に装着される複数のファイバーを含むケーブルと、前記保持部材の前端に実装されるレンズと、を備える。前記ケーブルのファイバーの前端が保持部材の前端に露出してレンズに対応する。
【発明の効果】
【０００７】
従来の技術に比べると、本発明は以下の長所がある。本発明の光波はプラグコネクタのレンズに通り、幅の広い光波になる。ソケットコネクタのレンズがプラグコネクタのレンズから離れる場合でも、光波は容易に伝送される。
【図面の簡単な説明】
【０００８】
【図１】本発明の第１実施形態における光コネクタ組立体がパネルに取り付けられた組立図である。
【図２】図１に示す光コネクタ組立体がパネルに取り付けられた別の組立図である。
【図３】図１に示すプラグコネクタの組立図である。
【図４】図１に示すプラグコネクタの分解斜視図である。
【図５】図４に示すケーブル部材の分解斜視図である。
【図６】図５に示すケーブル部材の別の分解斜視図である。
【図７】図１に示すソケットコネクタがパネルに取り付けいていない斜視図である。
【図８】図１に示すソケットコネクタの部分の分解斜視図である。
【図９】ソケットコネクタがパネルに取り付けられた斜視図である。
【図１０】ソケットコネクタがパネルに取り付けられた別の斜視図である。
【図１１】図１に示す光コネクタ組立体の線Ａ―Ａに沿った断面図である。
【図１２】本発明の第２実施形態に示す光コネクタ組立体の斜視図である。
【図１３】本発明の第２実施形態のプラグコネクタの部分の分解斜視図である。
【図１４】図１３に示すプラグコネクタの別の部分の分解斜視図である。
【図１５】第２実施形態における第１ケーブル部材の分解斜視図である。
【図１６】図１２に示すプラグコネクタの線Ｂ―Ｂに沿った断面図である。
【図１７】第２実施形態におけるプラグコネクタとソケットコネクタの斜視図である。
【図１８】第２実施形態における光コネクタ組立体の斜視図である。
【図１９】第２実施形態における光コネクタ組立体の別の斜視図である
【発明を実施するための形態】
【０００９】
図１〜図１１に示すように、本発明の第１実施状態における光コネクタ組立体１０００は、プラグコネクタ１００と、ソケットコネクタ２００とを有する。
【００１０】
図４に示すように、プラグコネクタ１００は、第１ケーブル部材１０と、第１ケーブル部材１０を遮蔽する前蓋体１１と後蓋体１２と、複数のバネ体１０４とを備える。
【００１１】
図５及び図６に示すように、第１ケーブル部材１０は、保持部材１０３と、第１固定柱１０２と、第１レンズ１０１と、ケーブル１０７と、遮蔽部材１０５とを有する。
【００１２】
保持部材１０３は、主体部１０３０と、主体部１０３０の前端から前向きに突出する前端部１０３２と、主体部１０３０の後に設けられる当接部１０３４とを有する。主体部１０３０には、複数の収納溝１０３６が形成される。当接部１０３４には前記収納溝１０３６に貫通する凹所１０３８が形成される。保持部材１０３の前端部１０３２には、一対の固定孔１０３３が形成される。第１レンズ１０１は、樹脂或いはガラスのような材料で製造される。第１レンズ１０１には、一対の貫通孔１０１１が形成される。
【００１３】
第１ケーブル部材１０を取り付ける場合、ケーブル１０７は、被覆層１０７２を剥ぎ取って、ファイバー１０７０を露出する。ケーブル１０７のファイバー１０７０は、保持部材１０３に接着される。ファイバー１０７０の前端と保持部材１０３の前端部１０３２とは、磨かれて互いに面一になる。ケーブル１０７のファイバー１０７０の前端が保持部材１０３の前端部１０３２に露出される。第１固定柱１０２の一端が、保持部材１０３の固定孔１０３３に圧接される（ｐｒｅｓｓ  ｆｉｔ）。第１レンズ１０１は、保持部材１０３の前端部１０３２に被覆成型（ｏｖｅｒ  ｍｏｌｄｅｄ）される、或いは接着される。ファイバー１０７０は、第１レンズ１０１に対応する。第１固定柱１０２の他端が第１レンズ１０１の貫通孔１０１１に貫通する。遮蔽部材１０５は、保持部材１０３の当接部１０３４に当接し、保持部材１０３と第１レンズ１０１を遮蔽する。
【００１４】
図３及び図４に示すように、プラグコネクタ１００が取り付けられる時、一対のバネ体１０４が第１ケーブル部材１０の挿入溝１０３７に収納される。前蓋体１１と後蓋体１２とは、第１ケーブル部材１０の後部に実装される。前蓋体１１の両側には、一対の係合アーム１１１が設けられる。係合アーム１１１の前端には鉤部１１２が設けられる。
【００１５】
図８に示すように、ソケットコネクタ２００は、第２ケーブル部材２０と、本体２１と、挟み込み部材２２とを備える。本体２１は、主体部２１０と、主体部２１０から後向きに延在する平台部２１４とを含む。主体部２１０の中には、阻隔部２１１０が設けられる収納部２１１が形成される。主体部２１０の両側には、上下に沿って延在する一対の第１凹溝２１３と、外へ突出する一対の耳部２１２とが設けられる。平台部２１４には、第１凹溝２１３と直交する第２凹溝２１５が形成される。
【００１６】
挟み込み部材２２は、アーム部２２１と、一対のアーム部２２１を連接する連接部２２２とを有する。前記アーム部２２１の前端には外へ突出する一対の定位部２２３が設けられる。アーム部２２１の後端には内へ延在する一対のロック部２２５が設けられる。アーム部２２１には弾力片２２４が設けられる。
【００１７】
第２ケーブル部材２０の構造は、第１ケーブル部材１０の構造と実質的に同一である。第２ケーブル部材２０は、第２レンズ２３と、第２固定柱２４とを含む。
【００１８】
図７、図８及び図１１に示すように、ソケットコネクタ２００が取り付けられる時、ケーブル部材２０が本体２１に挿入される。ケーブル部材２０が、本体２１の阻隔部２１１０の一側に当接する。第２レンズ２３は、阻隔部２１１０に接触しない。挟み込み部材２２は、本体２１に装着される。挟み込み部材２２の連接部２２２は、本体２１の第２凹溝２１５に嵌め込まれる。挟み込み部材２２の定位部２２３は、耳部２１２の凹所に嵌め込まれる。挟み込み部材２２のロック部２２５は、ケーブル部材２０の尾部を挟み込み。
【００１９】
図９及び図１０を参照すると、ソケットコネクタ２００は、開口部３０１が形成されるパネル３００に取り付けられる。主体部２１０が開口部３０１を通り越す。本体２１の耳部２１２と挟み込み部材２２の定位部２２３は、パネル３００の第１面３０２に取付けられる。挟み込み部材２２の弾力部２２４は、パネル３００の第２表面３０３に押圧される。
【００２０】
図１１を参照すると、プラグコネクタ１００がソケットコネクタ２００に挿入される時、プラグコネクタ１００の第一ケーブル部材１０は、ソケットコネクタ２００の収納部２１１に収納され、阻隔部２１１０の他側に当接する。プラグコネクタ１００の第１レンズ１０１は、ソケットコネクタ２００の第２レンズ２３から、阻隔部２１１０に対応するスペース２１１２分だけ離れる。標準寸法で設計される光波４００は、プラグコネクタ１００のケーブル１０７のファイバー１０７０を通って、第１レンズ１０１に到達する。第１レンズ１０１を透過する光波４００は、第１レンズ１０１によって、幅が広がり光波４００’になる。その後、光波４００’は、阻隔部２１１０に対応するスペース２１１２を通った後、第２レンズ２３を通り、元の光波４００に回復する。この光波４００は、ソケットコネクタ２００のファイバーを通り伝送される。
【００２１】
第２実施形態が図１２〜図１９に掲示される。第２実施形態におけるプラグコネクタ１００’は、第１ケーブル部材１０’と、第１ケーブル部材１０’を遮蔽する内蓋体１１’と外蓋体１２’とを備える。
【００２２】
図１５に示すように、第１ケーブル部材１０’は、保持部材１０３’と、第１レンズ１０１’と、一対の固定柱１０２’と、端子１０９’と、ケーブル１０７’と、導線１０８’と、弾力部材１０４’とを有する。
【００２３】
保持部材１０３’は、主体部１０３０’と、主体部１０３０’の前端から前向きに突出する前端部１０３２’とを有する。前端部１０３２’には、複数のＶ字状の挿入溝１０３７’が形成される。主体部１０３０’には、前記挿入溝１０３７’に貫通する収納溝１０３６’が形成される。収納溝１０３６’には、前記挿入溝１０３７’に対応して、前記挿入溝１０３７’より低い複数のＶ字状の凹溝１０３６ａ’が形成される。主体部１０３０’の両側には、端子１０９’を収納するための一対の収納孔１０３４’が形成される。保持部材１０３’の前端部１０３２’には、固定柱１０２’を収納するための一対の固定孔１０３３’が形成される。第１レンズ１０１’は、樹脂或いはガラスのような材料で製造される。第１レンズ１０１’には一対の貫通孔１０１１’が形成される。
【００２４】
第１ケーブル部材１０’が取り付けられる時、第１レンズ１０１’が第１実施形態の方法で保持部材１０３’の前端部１０３２’に装着される。固定柱１０２’は、主体部１０３’の固定孔１０３３’と第１レンズ１０１’の貫通孔１０１１’に貫通する。端子１０９’は、保持部材１０３’の収納孔１０３４’に収納される。ケーブル１０７’は、被覆層１０７２’を剥ぎ取って、ファイバー１０７０’を露出する。ケーブル１０７’のファイバー１０７０’は、接着物１０３６ｂによって凹溝１０３６ａに固着される。ファイバー１０７０’が保持部材１０３’の挿入溝１０３７’に配置される。導線１０８’は、端子１０９’に半田接続され、電気信号を伝送する。弾力部材１０４’は、導線１０８’を包囲する。
【００２５】
図１３に示すように、内蓋体１１’の内には、収納部１１０’が形成される。内蓋体１１’の両側には、導入溝１１１’が形成される。各導入溝１１１’にはロック溝１１２’が形成される。内蓋体１１’の上下には、係合部１１３’が設けられる。外蓋体１２’には、一対の係合溝１２３’が形成される。図１４及び図１７に示すように、プラグコネクタ１００’が取り付けられる時、内蓋体１１’と外蓋体１２’とは、順番に第１ケーブル部材１０’の後部に実装される。内蓋体１１’の係合部１１３’が外蓋体１２’の係合溝１２３’と係合する。
【００２６】
図１７及び図１８を参照すると、ソケットコネクタ２１’は、主体部２１０’と、一対の耳部２１２’と、主体部２１０’の中に形成される収納部２１１’と、導体２１５’とを有する。図１９に示すように、収納部２１１’の両側には、導体２１５’を支持するための支持部２１３０’が配置される一対の係合アーム２１３’が設けられる。収納部２１１’の上側と下側には、一対の阻隔部２１４’が設けられる。
【００２７】
プラグコネクタ１００’がソケットコネクタ２１’に挿入される時、係合アーム２１３’が導入溝１１１’に沿ってガイドされ、ロック溝１１２’と係合する。導体２１５’が収納孔１０３４’に挿入されて端子１０９と電気接続する。
【００２８】
以上、本発明について好ましい実施形態を参照して詳細に説明したが、実施形態はあくまでも例示的なものであり、これらに限定されるものではない。また本発明に基づき成し得る細部の修正或いは変更などは、いずれも本発明の技術的範囲に属するものである。
【符号の説明】
【００２９】
１０  第１ケーブル部材
１００  プラグコネクタ
１０００  コネクタ組立体
１０１  第１レンズ
１０１１  貫通孔
１０２  第１固定柱
１０３  保持部材
１０３０  主体部
１０３２  前端部
１０３３  固定孔
１０３４  当接部
１０３６  収納溝
１０３７  挿入溝
１０３８  凹所
１０４  バネ体
１０５  遮蔽部材
１０５１  収納部
１０７  ケーブル
１０７０  ファイバー
１０７２  被覆層
１１  前蓋体
１１１  係合アーム
１１２  鉤部
１２  後蓋体
２０  第２ケーブル部材
２００  ソケットコネクタ
２１  本体
２１０  主体部
２１１  収納部
２１１０  阻隔部
２１１２  スペース
２１２  耳部
２１２１  スロット
２１３  第１凹溝
２１４  平台部
２１５  第２凹溝
２２  挟み込み部材
２２１  アーム部
２２２  連接部
２２３  定位部
２２４  弾力片
２２５  ロック部
２３  第２レンズ
２４  第２固定柱
３００  パネル
３０１  開口部
３０２  第１取付面
３０３  第２取付面
４００  光波
１０’  第１ケーブル部材
１００’  プラグコネクタ
１０００’  コネクタ組立体
１０１’  レンズ
１０１１’  貫通孔
１０２’  固定柱
１０３’  保持部材
１０３０’  主体部
１０３２’  前端部
１０３３’  固定孔
１０３４’  収納孔
１０３６’  収納溝
１０３６ａ’  凹溝
１０３６ｂ  接着物
１０３７’  挿入溝
１０４’  弾力部材
１０７’  ケーブル
１０７０’  ファイバー
１０７２’  被覆層
１０８’  導線
１０９’  端子
１１’  内蓋体
１１０’  収納部
１１１’  導入溝
１１２’  ロック溝
１１３’  係合部
１２’  外蓋体
１２０’  収納スペース
１２３’  係合溝
２１’  ソケットコネクタ
２１０’  主体部
２１１’  収納部
２１２’  耳部
２１３’  係合アーム
２１３０’  支持部
２１４’  阻隔部
２１５’  導体
【図１】
2010250321.tif 000003
【図２】
2010250321.tif 000004
【図３】
2010250321.tif 000005
【図４】
2010250321.tif 000006
【図５】
2010250321.tif 000007
【図６】
2010250321.tif 000008
【図７】
2010250321.tif 000009
【図８】
2010250321.tif 000010
【図９】
2010250321.tif 000011
【図１０】
2010250321.tif 000012
【図１１】
2010250321.tif 000013
【図１２】
2010250321.tif 000014
【図１３】
2010250321.tif 000015
【図１４】
2010250321.tif 000016
【図１５】
2010250321.tif 000017
【図１６】
2010250321.tif 000018
【図１７】
2010250321.tif 000019
【図１８】
2010250321.tif 000020
【図１９】
2010250321.tif 000021